(57)【要約】【課題】  掘削機を撤去することなく掘削直後にコンクリートを吹き付けて地盤を自立させることのできる低コストの立坑用吹付装置を提供する。【解決手段】  スカフォード１下部の掘削機３のバケット３ｃの側面にコンクリートＭを吐出するノズル４を立坑Ｔの側壁に向けて取り付け、掘削機３の支柱３ｅにはコンクリートＭを送るホース４ａを巻回したホースリール６を取り付ける。ホース４ａの先端はノズル４に脱着自在に接続するカプラ４ｂが設けられ、ホース４ａの後端は立坑Ｔを通じて地表に備えたコンクリートＭの供給装置に接続している。掘削機３の運転席３ｄにはケーブル５ａを介して掘削機３を操作するリモートコントローラ５が脱着可能に設けられている。このリモートコントローラ５は、運転席３ｄと同等のレバー類が備えられており、掘削機３の旋回・ブーム３ａの屈曲・バケット３ｃの上下動などの運転席３ｄでの操作と同等の動作を坑底Ｇａで遠隔操作する。【選択図】図１
2007107246.tif 000002
【特許請求の範囲】
【請求項１】
立坑内にワイヤーロープで吊下して昇降するスカフォードの下部に地盤を掘削する掘削機を旋回自在に設け、同掘削機で掘削した立坑の側壁にコンクリートを吹き付けて地盤を自立させる立坑用吹付装置であって、スカフォード下部の掘削機の掘削部にコンクリートを吐出するノズルを設け、掘削機の操作でノズルの吐出向きを変えながら吹き付けできるようにしたことを特徴とする、立坑用吹付装置。
【請求項２】
掘削機が屈曲するブームにバケットを上下動自在に取り付けたショベルであって、同バケットにノズルを取り付けた、請求項１記載の立坑用吹付装置。
【請求項３】
作業者が掘削機を坑底で遠隔操作するリモートコントローラを備えた、請求項１又は２記載の立坑用吹付装置。
【発明の詳細な説明】
【技術分野】
【０００１】
本発明は、掘削した立坑の側壁にコンクリートを吹き付けて地盤を自立させる立坑用吹付装置に関する。
【背景技術】
【０００２】
従来、立坑用吹付装置としては特許文献１に示されるものがある。この技術は、立坑内で昇降可能に吊り下げられる枠体と、この枠体に旋回自在に支持され、立坑の側壁に向けてコンクリート又はモルタルを吹き付けるノズルと、このノズルを旋回駆動するノズル駆動部と、ノズルが側壁から一定距離を保持して旋回するように枠体を立坑内に保持するグリッパとで構成され、遠隔操作によって機械的に吹き付けできるようにしたものである。
【０００３】
ところで、前記技術は掘削後の立坑からスカフォードや掘削機を全て坑外へ撤去し、ノズルを備えた枠体を立坑に再度吊り降ろすから、吹き付けまでの作業が繁雑で時間を要し、ノズルを支承する専用の枠体も必要でコストがかかる問題があった。
【特許文献１】特開平７−１１９３９１号公報
【発明の開示】
【発明が解決しようとする課題】
【０００４】
本発明が解決しようとする課題は、従来のこれらの問題点を解消し、掘削機を撤去することなく掘削直後にコンクリートを吹き付けて地盤を自立させることのできる低コストの立坑用吹付装置を提供することにある。
【課題を解決するための手段】
【０００５】
かかる課題を解決した本発明の構成は、
１）  立坑内にワイヤーロープで吊下して昇降するスカフォードの下部に地盤を掘削する掘削機を旋回自在に設け、同掘削機で掘削した立坑の側壁にコンクリートを吹き付けて地盤を自立させる立坑用吹付装置であって、スカフォード下部の掘削機の掘削部にコンクリートを吐出するノズルを設け、掘削機の操作でノズルの吐出向きを変えながら吹き付けできるようにしたことを特徴とする、立坑用吹付装置
２）  掘削機が屈曲するブームにバケットを上下動自在に取り付けたショベルであって、同バケットにノズルを取り付けた、前記１）記載の立坑用吹付装置
３）  作業者が掘削機を坑底で遠隔操作するリモートコントローラを備えた、前記１）又は２）記載の立坑用吹付装置
にある。
【発明の効果】
【０００６】
本発明によれば、掘削機の掘削部にノズルを設けたから、掘削機の操作でノズルの吐出向きや吐出距離を変えながら吹き付けることができ、掘削後にスカフォードや掘削機を撤去することなく直ちに吹き付け作業を開始できるようになる。また、従来と比較してノズル用の枠体等が不要となるから低コストで実施できる。
【発明を実施するための最良の形態】
【０００７】
本発明では、掘削機としてはショベル系が一般的に用いられ、ノズルはバケットに取り付け、掘削機本体の旋回とブームの屈曲とバケットの上下動でノズルの吐出向きや吐出距離を変えながら吹き付けを行う。掘削機の作動は掘削機に有する運転席から直接操作できるが、作業者が坑底で遠隔操作できるリモートコントローラを設けると、吹き付け具合を直前で目視しながら作業できて好ましい。以下、本発明の実施例を図面に基づいて具体的に説明する。
【実施例１】
【０００８】
図１は実施例の立坑用吹付装置の使用状態を示す説明図、図２は実施例のホースリールの説明図、図３は実施例の立坑用吹付装置の全体図である。図中、１はスカフォード、１ａはジャッキ、１ｂは吊シーブ、１ｃはワイヤーロープ、２は旋回体、３は掘削機、３ａはブーム、３ｂは油圧シリンダ、３ｃはバケット、３ｄは運転席、３ｅは支柱、４はノズル、４ａはホース、４ｂはカプラ、５はリモートコントローラ、５ａはケーブル、６はホースリール、６ａはモータ、７は供給装置、Ｇは地盤、Ｇａは坑底、Ｈは作業者、Ｍはコンクリート、Ｔは立坑である。
【０００９】
本実施例の立坑用吹付装置は、図１〜３に示すように立坑Ｔ内を吊下して昇降するスカフォード１の下部に旋回体２を介してショベル式の掘削機３を旋回自在に取り付けている。掘削機３は油圧シリンダ３ｂの伸縮で屈曲するブーム３ａと上下動するバケット３ｃを備えた構造で、運転席３ｄに作業者Ｈが搭乗して旋回・屈曲・上下動により地盤Ｇを掘削するものである。
【００１０】
掘削機３のバケット３ｃの側面にはコンクリートＭを吐出するノズル４を立坑Ｔの側壁に向けて取り付け、掘削機３の支柱３ｅにはコンクリートＭを送るホース４ａを巻回したホースリール６を備えている。ホース４ａの先端はノズル４に脱着自在に接続するカプラ４ｂが設けられ、ホース４ａの後端は立坑Ｔを通じて地表に備えたコンクリートＭの供給装置７に接続している。
【００１１】
掘削機３の運転席３ｄにはケーブル５ａを介して掘削機３を操作するリモートコントローラ５が脱着可能に設けられている。このリモートコントローラ５は、運転席３ｄと同等のレバー類が備えられており、掘削機３の旋回・ブーム３ａの屈曲・バケット３ｃの上下動など運転席３ｄでの操作と同等の動作が坑底Ｇａで遠隔操作できるようになっている。
【００１２】
本実施例では、地表から吊り下げたスカフォード１の掘削機３で地盤Ｇを掘削して所定深さの立坑Ｔを形成する。形成後はモータ６ａでホースリール６を回転させてホース４ａを繰り出してノズル４にカプラ４ｂで接続し、リモートコントローラ５をケーブル５ａと接続してスカフォード１の下方に降ろし、作業者Ｈが坑底Ｇａに降りてリモートコントローラ５を首掛けバンド等で保持し、供給装置７を作動させてノズル４からコンクリートＭを吐出する。作業者Ｈはリモートコントローラ５の操作レバーを操作して旋回体２の旋回角度，掘削機３のブーム３ａの屈曲角度やバケット３ｃの上下角度を変えながら立坑Ｔの側壁にコンクリートＭを所定厚さに吹き付ける。
【００１３】
このように、本実施例によれば掘削機３のバケット３ｃにノズル４を設けたから、掘削機３の操作でノズル４の吐出向きを変えながら吹き付けることができ、掘削後にスカフォード１や掘削機３を撤去することなく直ちに吹き付け作業を開始できるようになる。また、従来と比較してノズル用の枠体等が不要となるから低コストで実施できる。
【産業上の利用可能性】
【００１４】
本発明の立坑用吹付装置は、大深度の立坑構築に好ましく用いられる。
【図面の簡単な説明】
【００１５】
【図１】実施例の立坑用吹付装置の使用状態を示す説明図である。
【図２】実施例のホースリールの説明図である。
【図３】実施例の立坑用吹付装置の全体図である。
【符号の説明】
【００１６】
１  スカフォード
１ａ  ジャッキ
１ｂ  吊シーブ
１ｃ  ワイヤーロープ
２  旋回体
３  掘削機
３ａ  ブーム
３ｂ  油圧シリンダ
３ｃ  バケット
３ｄ  運転席
３ｅ  支柱
４  ノズル
４ａ  ホース
４ｂ  カプラ
５  リモートコントローラ
５ａ  ケーブル
６  ホースリール
６ａ  モータ
７  供給装置
Ｇ  地盤
Ｇａ  坑底
Ｈ  作業者
Ｍ  コンクリート
Ｔ  立坑
【図１】
2007107246.tif 000003
【図２】
2007107246.tif 000004
【図３】
2007107246.tif 000005